(57)【要約】【課題】  テーブルの脚高を簡単に調節することができるようにすると共に、そのための脚高調節機構の内部にごみ等が集積等することを効果的に防止する。【解決手段】  テーブルのテーブル脚の接地点部分に配設され、操作ディスク３０を正逆回転することにより接地部４０を接地点部分で昇降して、テーブルの脚高を調節するテーブルの脚高調節装置。操作ディスク３０の外周部の一部を収容部２０の側壁２１の側部開口２３から側方へと露出して回転操作自在とすると共に、操作ディスク３０のそれ以外の部分を遮蔽する。【選択図】  図１
0003109117.tif 000002
【実用新案登録請求の範囲】
【請求項１】
テーブルのテーブル脚の接地点部分に配設され、操作部を正逆回転することにより接地部を前記接地点部分で昇降して、前記テーブルの脚高を調節するテーブルの脚高調節装置であって、
前記操作部の外周部の一部を前記接地点部分の側方へと露出して回転操作自在とすると共に、前記接地点部分において前記操作部のそれ以外の部分を遮蔽するようにしたことを特徴とするテーブルの脚高調節装置。
【請求項２】
テーブルのテーブル脚の接地点に配設されるテーブルの脚高調節装置であって、
前記テーブル脚の接地点部分に設けられ、その側部に側方に開口する側部開口を形成すると共に、それ以外の側部及び上部を遮蔽して内部空間を形成した収容部と、
前記収容部の内部空間に収容されると共に、その外周部の一部を前記収容部の側部開口から外部に露出させ、かつ、それ以外の部分を前記収容部の内部空間内に遮蔽状態で収容した操作ディスクと、
前記収容部に収容されて、その下端が前記収容部の下端から下方へ突出自在とされると共に、前記操作ディスクに作用的に連結され、前記操作ディスクの操作により前記収容部の下端から下方への突出量を調節自在とされた接地部と
を備えることを特徴とするテーブルの脚高調節装置。
【請求項３】
テーブルのテーブル脚の接地点に配設されるテーブルの脚高調節装置であって、
前記テーブル脚の接地点部分に略水平方向に延びるよう設けられ、幅方向両側に配置される一対の側壁と、前記側壁の上端間を接続する上壁とを有して、前記一対の側壁と前記上壁との間に所定の内部空間を形成する一方、前記側壁の下端間を開放して下方に連通する下端開口を形成すると共に、前記上壁を閉塞面とし、更に、前記側壁の少なくとも一方にその側壁を貫通する側部開口を形成した収容部と、
前記収容部の内部空間に略水平となるよう収容配置される円板状をなし、その外周部の一部を前記収容部の側部開口から外部に露出させ、かつ、それ以外の部分を前記収容部の内部空間内に遮蔽状態で収容した操作ディスクと、
前記収容部の内部空間の前記操作ディスクより下側に、略垂直方向への移動自在となるよう収容配置されたブロック状の接地部と、
前記収容部の内部空間内に配置され、前記操作ディスクの中心と前記接地部との間を作用的に連結する連結体とを備え、
前記収容部の側方から前記側部開口部分の前記操作ディスクの外周部の露出部分を介して前記操作ディスクを正逆回転することにより、前記連結体を介して前記接地部を前記収容部に対して相対的に上下動し、前記接地部下面の前記収容部の側壁下端から下方への突出量を調節するようにした
ことを特徴とするテーブルの脚高調節装置。
【請求項４】
テーブルのテーブル脚の接地点に配設されるテーブルの脚高調節装置であって、
前記テーブル脚の接地点部分に略水平方向に延びるよう設けられ、幅方向両側に配置される一対の側壁と、前記側壁の上端間を接続する上壁とを有して、前記一対の側壁と前記上壁との間に所定の内部空間を形成する一方、前記側壁の下端間を開放して下方に連通する下端開口を形成すると共に、前記上壁を閉塞面とし、更に、前記側壁の少なくとも一方にその側壁を貫通する側部開口を形成した収容部と、
前記収容部の内部空間に略水平状態で収容配置される円板状をなし、その外周部の一部を前記収容部の側部開口から外部に露出し、かつ、それ以外の部分を前記収容部の内部空間内に遮蔽状態で収容した操作ディスクと、
前記収容部の内部空間の前記操作ディスクより下側に、略垂直方向への移動自在となるよう、かつ、略水平方向への回転不能となるよう収容配置されたブロック状の接地部と、
前記収容部の内部空間内に略垂直方向に延びるよう配置され、上端を前記操作ディスクの中心に固着すると共に、そのねじ部を前記接地部に螺入したねじ棒とを備え、
前記収容部の側方から前記側部開口部分の前記操作ディスクの外周部露出部分を介して前記操作ディスクを正逆回転して前記ねじ棒を正逆回転し、前記ねじ棒の前記接地部内への螺入量を増減することにより、前記接地部を前記ねじ棒に対して相対的に上下動して前記収容部に対して相対的に上下動し、前記接地部下面の前記収容部の側壁下端から下方への突出量を調節するようにした
ことを特徴とするテーブルの脚高調節装置。
【請求項５】
前記操作ディスクの正逆回転に伴い前記ねじ棒が正逆回転し、前記接地部内への前記ねじ棒の螺入量が増減されたときに、前記接地部から前記操作ディスクに対して伝達される垂直方向の力に抗して前記操作ディスクの上下動を阻止し、前記操作ディスクを前記収容部に対して上下方向の定位置に保持する保持手段を、前記収容部の内部空間に一体的に設けたことを特徴とする請求項４記載のテーブルの脚高調節装置。
【請求項６】
前記収容部は、前記両側壁の略同一高さ位置及び略同一長さ方向位置に、前記側部開口を対をなすよう穿設し、
前記操作ディスクは、前記収容部の側壁間の寸法より大きい直径の円板状をなし、前記収容部の両側壁の両側部開口からその外周部の両側部分がそれぞれ外部に所定量、対をなすように突出した状態で前記収容部に収容配置され、前記収容部の両側壁の両側部開口の上面または下面に前記外周部の両側部の上面または下面が当接することにより、上方または下方への移動が規制されることを特徴とする請求項３または４記載のテーブルの脚高調節装置。
【請求項７】
前記接地部は、合成樹脂材料またはゴム材料からなり、前記収容部の両側壁の内面間の寸法に対応する幅寸法の略直方体ブロック状をなし、その幅方向両側面を前記収容部の両側壁の内面に摺動自在に当接させた状態で、前記収容部の内部空間の前記操作ディスクより下側に収容配置され、これにより、前記収容部の両側壁の内面に沿って略垂直方向に移動案内されて略垂直方向への移動自在となり、かつ、前記収容部の両側壁の内面により規制されて略水平方向への回転不能となることを特徴とする請求項３乃至６のいずれか１項記載のテーブルの脚高調節装置。
【請求項８】
前記接地部は、前記操作ディスクに再接近するその最上位置で、その下面が前記収容部の側壁の下端から約５ｍｍ突出するようになっていることを特徴とする請求項３乃至７のいずれか１項記載のテーブルの脚高調節装置。
【請求項９】
前記接地部は、前記操作ディスクに再接近するその最上位置で、その下面が前記収容部の側壁の下端から約５ｍｍ突出し、前記操作ディスクから最も離間するその最下位置で、その下面が前記収容部の側壁の下端から約１０ｍｍ突出するようになっていることを特徴とする請求項３乃至７のいずれか１項記載のテーブルの脚高調節装置。
【請求項１０】
前記収容部の上壁は、前記操作ディスクに対応する部分に開閉自在に設けた蓋体を有し、前記蓋体を閉じることにより前記収容部の内部空間の上側を閉塞して前記上壁側の閉塞面を形成すると共に、前記蓋体を開くことにより前記収容部の内部空間にアクセス自在とし、
前記上壁の蓋体は、その上面が隣接する前記ベース部の上面と面一となるよう形成されていることを特徴とする請求項３乃至９のいずれか１項記載のテーブルの脚高調節装置。
【請求項１１】
テーブルのテーブル脚の接地点に配設されるテーブルの脚高調節装置であって、
前記テーブル脚の接地点部分に略水平方向に延びるよう設けられ、幅方向両側に配置される一対の側壁と、前記側壁の上端間を接続する上壁とを有して、前記一対の側壁と前記上壁との間に所定の内部空間を形成する一方、前記側壁の下端間を開放して下方に連通する下端開口を形成すると共に、前記上壁を閉塞面とし、更に、前記側壁の両側にその側壁を貫通する一対の側部開口を形成した収容部と、
前記収容部の内部空間に略水平状態で収容配置される円板状をなし、その外周部の両側部分を前記収容部の両側壁の両側部開口からそれぞれ外部に所定量突出させ、更に、前記収容部の両側壁の両側部開口に前記外周部の両側部の上下両面が当接することにより、略垂直方向への移動が規制される操作ディスクと、
前記収容部の内部空間の前記操作ディスクより下側に、略垂直方向への移動自在となるよう、かつ、略水平方向への回転不能となるよう収容配置されたブロック状の接地部と、
前記収容部の内部空間内に略垂直方向に延びるよう配置され、そのねじ部を前記調節ディスクの中心に螺入すると共に、下端を前記接地部の上端略中央に固着したねじ棒とを備え、
前記収容部の側方から前記側部開口部分の前記操作ディスクの外周部露出部分を介して前記操作ディスクを正逆回転し、前記ねじ棒の前記操作ディスクに対する螺入量を増減することにより、前記接地部を前記操作ディスクに対して相対的に上下動して前記収容部に対して相対的に上下動し、前記接地部下面の前記側壁下端から下方への突出量を調節するようにした
ことを特徴とするテーブルの脚高調節装置。
【請求項１２】
請求項１乃至１１のいずれか１項記載のテーブルの脚高調節装置を備えることを特徴とする脚高調節機能付きテーブル脚。
【請求項１３】
請求項１乃至１１のいずれか１項記載のテーブルの脚高調節装置を備えることを特徴とする脚高調節機能付きテーブル。
【考案の詳細な説明】
【技術分野】
【０００１】
本考案は、テーブルの脚の高さ（脚高）を調節可能なテーブルの脚高調節装置、脚高調節機能付きテーブル脚及び脚高調節機能付きテーブルに関する。
【背景技術】
【０００２】
テーブルは、上下に延びる脚部の下端や脚部から左右に延びるベース部の先端に設けた３点以上の接地点により、床面等の接地面に支持して配置される。ここで、接地面が平坦でなく、部分的に凹凸等が存在する場合、いずれかの接地点と床面との間に隙間が生じ、その位置でテーブルがぐらつく等の不具合が発生する。よって、脚部やベース部に設けた接地点を上下方向に若干位置調節可能としたテーブルが開発されている。例えば、この種の技術として、例えば、特許文献１に記載の技術がある。
【特許文献１】特許第７３７７２号公報
【０００３】
特許文献１には、テーブルの脚の足に取り付けられ、テーブルの足の上面側より容易にアクセスし調節することができ、これにより使用者がテーブルの足を床より持ち上げることなく滑動部材を調節することができる高さ調節可能な滑動用組立体が開示されている。この滑動用組立体は、滑動部材を含み、滑動部材はテーブルの足の下面に配置される床係合用の平坦なディスク部を有している。ディスク部は床の如き面に係合するよう平坦な下面を有する。また、ディスク部は、ねじ棒の一端に接続されている。ねじ棒は、足に形成されたねじ孔にねじ込まれ、該ねじ孔を貫通して上方へ延在している。ねじ棒の他端には調節ノブが取り付けられている。調節ノブはテーブルの脚の足の上面に近接して配置されている。調節ノブは足の上面に形成されたキャビティ内に配置される。したがって、滑動部材が足内へ後退せしめられると、ノブのハンドルがキャビティの上方へ突出する。よって、使用者は、調節ノブのハンドルを操作してねじ孔内にてねじ棒を回転させ、ディスク部を足へ向けて引き寄せたりディスク部を足より離れる方向へ移動させたりして、これにより滑動部材の高さを調節してテーブルを水平にすることができる。
【考案の開示】
【考案が解決しようとする課題】
【０００４】
しかし、特許文献１に記載の技術は、テーブルの脚高を調節するための調節ノブを、テーブルの脚の足の上面に近接して配置し、足の上面に形成されたキャビティ内に配置する。よって、テーブルの脚の足近辺で浮遊または飛散する塵芥や小さなごみ等が、テーブルの足の上方から重力により前記キャビティ内に落下して、足のキャビティ内に集積する可能性が大きい。この場合、足内部のねじ棒とねじ孔との螺合部分にごみ等が侵入して目詰まりし、ねじ棒を介した調節の分の円滑な操作に支障を来たす可能性がある。また、特許文献１に記載の技術を適用したのテーブルを喫茶店やレストラン等、飲食物を提供する店舗で使用する場合、上記のように、ごみ等が足内部のキャビティ内に集積すると、顧客に不快感を与え、また、衛生上好ましくない。一方、足内部のキャビティ等は小さな空間であり、内部に集積したごみ等を相似するのは非常に煩雑になる。
【０００５】
そこで、本考案は、テーブルの脚高を簡単に調節することができると共に、そのための脚高調節機構の内部にごみ等が集積または堆積等することを効果的に防止することができ、特に、飲食物を扱う店舗において顧客に不快感を与えたり、衛生上の問題を発生したりすることがなく、更に、脚高調節機構内部にごみ等が進入した場合でも、その除去及び掃除をきわめて容易に行うことができるテーブルの脚高調節装置、脚高調節機能付きテーブル脚及び脚高調節機能付きテーブルの提供を課題とする。
【課題を解決するための手段】
【０００６】
本考案の第１の態様によれば、テーブルのテーブル脚の接地点部分に配設され、操作部を正逆回転することにより接地部を前記接地点部分で昇降して、前記テーブルの脚高を調節するテーブルの脚高調節装置が提供される。このテーブルの脚高調節装置は、前記操作部の外周部の一部を前記接地点部分の側方へと露出して回転操作自在とすると共に、前記接地点部分において前記操作部のそれ以外の部分を遮蔽するようにしている。
【０００７】
本考案の第２の態様によれば、テーブルの接地点に配設されるテーブルの脚高調節装置が提供される。このテーブルの脚高調節装置は、前記テーブル脚の接地点部分に設けられ、その側部に側方に開口する側部開口を形成すると共に、それ以外の側部及び上部を遮蔽して内部空間を形成した収容部と、前記収容部の内部空間に収容されると共に、その外周部の一部を前記収容部の側部開口から外部に露出させ、かつ、それ以外の部分を前記収容部の内部空間内に遮蔽状態で収容した操作ディスクと、前記収容部に収容されて、その下端が前記収容部の下端から下方へ突出自在とされると共に、前記操作ディスクに作用的に連結され、前記操作ディスクの操作により前記収容部の下端から下方への突出量を調節自在とされた接地部とを備える。
【０００８】
本考案の第３の態様によれば、テーブルの接地点に配設されるテーブルの脚高調節装置が提供される。このテーブルの脚高調節装置は、前記テーブル脚の接地点部分に略水平方向に延びるよう設けられ、幅方向両側に配置される一対の側壁と、前記側壁の上端間を接続する上壁とを有して、前記一対の側壁と前記上壁との間に所定の内部空間を形成する一方、前記側壁の下端間を開放して下方に連通する下端開口を形成すると共に、前記上壁を閉塞面とし、更に、前記側壁の少なくとも一方にその側壁を貫通する側部開口を形成した収容部と、前記収容部の内部空間に略水平となるよう収容配置される円板状をなし、その外周部の一部を前記収容部の側部開口から外部に露出させ、かつ、それ以外の部分を前記収容部の内部空間内に遮蔽状態で収容した操作ディスクと、前記収容部の内部空間の前記操作ディスクより下側に、略垂直方向への移動自在となるよう収容配置されたブロック状の接地部と、前記収容部の内部空間内に配置され、前記操作ディスクの中心と前記接地部との間を作用的に連結する連結体とを備え、前記収容部の側方から前記側部開口部分の前記操作ディスクの外周部の露出部分を介して前記操作ディスクを正逆回転することにより、前記連結体を介して前記接地部を前記収容部に対して相対的に上下動し、前記接地部下面の前記収容部の側壁下端から下方への突出量を調節するようにしている。
【０００９】
本考案の第４の態様によれば、テーブルの接地点に配設されるテーブルの脚高調節装置が提供される。このテーブルの脚高調節装置は、前記テーブル脚の接地点部分に略水平方向に延びるよう設けられ、幅方向両側に配置される一対の側壁と、前記側壁の上端間を接続する上壁とを有して、前記一対の側壁と前記上壁との間に所定の内部空間を形成する一方、前記側壁の下端間を開放して下方に連通する下端開口を形成すると共に、前記上壁を閉塞面とし、更に、前記側壁の少なくとも一方にその側壁を貫通する側部開口を形成した収容部と、前記収容部の内部空間に略水平状態で収容配置される円板状をなし、その外周部の一部を前記収容部の側部開口から外部に露出し、かつ、それ以外の部分を前記収容部の内部空間内に遮蔽状態で収容した操作ディスクと、前記収容部の内部空間の前記操作ディスクより下側に、略垂直方向への移動自在となるよう、かつ、略水平方向への回転不能となるよう収容配置されたブロック状の接地部と、前記収容部の内部空間内に略垂直方向に延びるよう配置され、上端を前記操作ディスクの中心に固着すると共に、そのねじ部を前記接地部に螺入したねじ棒とを備え、前記収容部の側方から前記側部開口部分の前記操作ディスクの外周部露出部分を介して前記操作ディスクを正逆回転して前記ねじ棒を正逆回転し、前記ねじ棒の前記接地部内への螺入量を増減することにより、前記接地部を前記ねじ棒に対して相対的に上下動して前記収容部に対して相対的に上下動し、前記接地部下面の前記収容部の側壁下端から下方への突出量を調節するようにしている。
【００１０】
本考案の第５の態様によれば、テーブルの接地点に配設されるテーブルの脚高調節装置が提供される。このテーブルの脚高調節装置は、前記テーブル脚の接地点部分に略水平方向に延びるよう設けられ、幅方向両側に配置される一対の側壁と、前記側壁の上端間を接続する上壁とを有して、前記一対の側壁と前記上壁との間に所定の内部空間を形成する一方、前記側壁の下端間を開放して下方に連通する下端開口を形成すると共に、前記上壁を閉塞面とし、更に、前記側壁の両側にその側壁を貫通する一対の側部開口を形成した収容部と、前記収容部の内部空間に略水平状態で収容配置される円板状をなし、その外周部の両側部分を前記収容部の両側壁の両側部開口からそれぞれ外部に所定量突出させ、更に、前記収容部の両側壁の両側部開口に前記外周部の両側部の上下両面が当接することにより、略垂直方向への移動が規制される操作ディスクと、前記収容部の内部空間の前記操作ディスクより下側に、略垂直方向への移動自在となるよう、かつ、略水平方向への回転不能となるよう収容配置されたブロック状の接地部と、前記収容部の内部空間内に略垂直方向に延びるよう配置され、そのねじ部を前記調節ディスクの中心に螺入すると共に、下端を前記接地部の上端略中央に固着したねじ棒とを備え、前記収容部の側方から前記側部開口部分の前記操作ディスクの外周部露出部分を介して前記操作ディスクを正逆回転し、前記ねじ棒の前記操作ディスクに対する螺入量を増減することにより、前記接地部を前記操作ディスクに対して相対的に上下動して前記収容部に対して相対的に上下動し、前記接地部下面の前記側壁下端から下方への突出量を調節するようにしている。
【００１１】
本考案の第６の態様によれば、上記構成のテーブルの脚高調節装置を備えた脚高調節機能付きテーブル脚が提供される。
【００１２】
本考案の第７の態様によれば、上記構成のテーブルの脚高調節装置を備えた脚高調節機能付きテーブルが提供される。
【考案の効果】
【００１３】
本考案によれば、テーブルの脚高を簡単に調節することができると共に、そのための脚高調節機構の内部にごみ等が集積することを効果的に防止することができ、特に、飲食物を扱う店舗において顧客に不快感を与えたり、衛生上の問題を発生したりすることがなく、更に、脚高調節機構内部にごみ等が進入した場合でも、その除去及び掃除をきわめて容易に行うことができる。
【考案を実施するための最良の形態】
【００１４】
以下、本考案を実施するための最良の形態（以下、「実施の形態」という。）を説明する。なお、各実施の形態を通じ、同一の部材、要素または部分には同一の符号を付して、その説明を省略する。
【００１５】
実施の形態１
図１は本考案の実施の形態１に係る脚高調節機能付きテーブルの全体を示す一部破断側面図である。図２は本考案の実施の形態１に係るテーブルの脚高調節装置を示す側面図である。図３は本考案の実施の形態１に係る脚高調節機能付きテーブル脚のベース部を示す平面図である。図４は本考案の実施の形態１に係るテーブルの脚高調節装置を示す平面図である。
【００１６】
実施の形態１に係る脚高調節機能付きテーブル１０は、図１に示すように、天板１１と、１本の脚部１２と、ベース部１３とを備える。脚部１２は、内部を空洞とした円柱状をなし、その上端は、取付板１２ａを介して、ビス等の締結具１２ｂにより天板１１の下面中央に固着されている。また、ベース部１３は、図３に示すように、断面略矩形状をなす４本の長尺状乃至直線棒状のベース体１３ａからなり、平面略Ｘ字状となっている。更に、ベース部１３の中央には、前記脚部１２の下端外形に対応する円形凹部状をなす固着凹部１３ｂが形成されている。そして、前記ベース部１３の固着凹部１３ｂに脚部１２の下端を密嵌し、脚部１２の下端をボルト及びナットからなる締結具１３ｃによりベース部１３の固着凹部１３ｂに固着するようになっている。このように組付けた脚部１２及びベース部１３により、テーブル脚が構成される。
【００１７】
図２及び図４に示すように、実施の形態１に係るテーブルの脚高調節装置は、かかるテーブル１０または前記テーブル脚１２，１３の接地点（床面等の接地面に対してテーブル脚の下端等が接触する点乃至面）に配設される。詳細には、テーブルの脚高調節装置は、収容部２０と、操作部としての操作ディスク３０と、接地部４０と、ねじ棒５０とを備える。
【００１８】
収容部２０は、前記接地点部分において前記ベース部１３に略水平方向に延設される。実施の形態１では、ベース部１３の先端部分を収容部２０として兼用している。即ち、収容部２０は、ベース部１３と一体をなし、ベース部１３の先端の所定長さ部分により構成される。しかし、収容部をベース部と別体で構成し、ベース部の先端に取付けるようにすることも可能である。前記収容部２０は、その幅方向両側に配置される一対の側壁２１と、前記両側壁２１の上端間を接続する上壁２２とを有し、一対の側壁２１と上壁２２との間に所定の内部空間を形成する。一方、収容部２０は、側壁２１の下端間を開放して下方に連通する下端開口２３を形成している。また、収容部２０は、前記上壁２２を閉塞面としている。更に、収容部２０は、両側壁２１に、それぞれ、その側壁を貫通する側部開口２３を形成している。各側部開口２３は、スロット状乃至横長の長孔状をなしている。また、収容部２０は、両側壁２１の略同一高さ位置及び略同一長さ方向位置に、前記側部開口２３を対をなすよう穿設している。
【００１９】
操作ディスク３０は、前記収容部２０の内部空間に略水平となるよう収容配置された略円板状をなす。また、円板状の操作ディスク３０は、その外周部の一部を前記収容部２０の側部開口２３から外部に露出させている。更に、操作ディスク３０は、前記露出部以外の外周部を、収容部２０の内部空間内に遮蔽状態で収容している。詳細には、操作ディスク３０は、収容部２０の側壁２１間の寸法より大きい直径の円板状をなし、収容部２０の両側壁２１の両側部開口２３からその外周部の両側部分がそれぞれ外部に所定量、対をなすように突出した状態で収容部２０に収容配置されている。なお、操作ディスク３０の露出部は、使用者が手指等により接触して操作ディスク３０を回転するためのものであるため、収容部２０の側壁２１の側部開口２３から所定量外部に突出するよう、操作ディスク３０の直径等を設定することが好ましい。しかし、使用者が手指等により接触して操作ディスク３０を回転可能な限りにおいて、操作ディスク３０の露出部は、収容部２０の側壁２１の側部開口２３から突出させることなく、側部開口２３内に位置するよう、前記操作ディスク３０の直径等を設定することも可能である。
【００２０】
接地部４０は、収容部２０の内部空間の操作ディスク３０より下側に、略垂直方向への移動自在となるよう、かつ、略水平方向への回転不能となるよう収容配置されたブロック状をなす。例えば、接地部４０は、その接触面である床面等を傷つけない材料、好ましくは、軟質等の合成樹脂材料またはゴム材料からなり、収容部２０の両側壁２１の内面間の寸法に対応する幅寸法の略直方体ブロック状とすることができる。この場合、接地部４０は、その幅方向両側面を収容部２０の両側壁２１の内面に摺動自在に当接させた状態で、収容部２０の内部空間の操作ディスク３０より下側に収容配置される。これにより、接地部４０は、収容部２０の両側壁２１の内面に沿って略垂直方向に移動案内されて略垂直方向への移動自在となり、かつ、収容部２０の両側壁２１の内面により規制されて略水平方向への回転不能となる。
【００２１】
ねじ棒５０は、収容部２０の内部空間内に略垂直方向に延びるよう配置され、操作ディスク３０の中心と接地部４０との間を作用的に連結する連結体を構成する。具体的には、ねじ棒５０は、収容部２０の内部空間内に略垂直方向に延びるよう配置され、上端を操作ディスク３０の中心に固着すると共に、そのねじ部を接地部４０に螺入している。
【００２２】
更に、テーブルの脚高調節装置は、保持手段６０を収容部２０の内部空間に一体的に設けている。保持手段６０は、操作ディスク３０の正逆回転に伴いねじ棒５０が正逆回転し、接地部４０内へのねじ棒５０の螺入量が増減されたときに、接地部４０から操作ディスク３０に対して伝達される垂直方向の力に抗して操作ディスク３０の上下動を阻止し、操作ディスク３０を収容部２０に対して上下方向の定位置に保持するようになっている。具体的には、保持手段６０は、図２に示すように、隔壁６１及び支持板６２より構成される。隔壁６１は、操作ディスク３０の下面に密接する位置で、前記収容部２０の両側壁２１間に一体形成されて位置固定される。これにより、操作ディスク３０は、回転時にねじ棒５０から下方への力が加わっても、隔壁６１の上面に載置支持されて、隔壁６１により下方への移動を阻止される。また、支持板６２は、隔壁６０の下面においてねじ棒５０の外周に固着されると共に、隔壁６１に対しては相対回動自在となっている。これにより、操作ディスク３０は、回転時にねじ棒５０から上方への力が加わっても、ねじ棒５０を介して支持板６２より上方への移動を阻止される。このように、操作ディスク３０は、隔壁６１上に回動自在かつ垂直移動不能に固定され、収容部２０の内部空間においてその軸心方向（略垂直方向）への移動不能とされている。また、これにより、ねじ棒５０も、収容部２０の内部空間においてその軸心方向（略垂直方向）への移動不能とされている。
【００２３】
そして、テーブルの脚高調節装置は、収容部２０の側方から側部開口２３部分の操作ディスク３０の外周部の露出部分を介して操作ディスク３０を正逆回転することにより、前記連結体を介して、即ち、前記ねじ棒５０を正逆回転し、ねじ棒５０の接地部４０内への螺入量を増減することにより、接地部４０を収容部２０に対して相対的に上下動し、接地部４０下面の収容部２０の側壁２１下端から下方への突出量を調節するようになっている。例えば、操作ディスク３０を上方から見て時計回り方向に回転（正回転）することにより、ねじ棒５０を同一方向に正回転し、ねじ棒５０の接地部４０内への螺入量を減少することにより、接地部４０を収容部２０に対して相対的に下動し、接地部４０下面の収容部２０の側壁２１下端から下方への突出量を増大することができる。一方、操作ディスク３０を上方から見て反時計回り方向に回転（逆回転）することにより、ねじ棒５０を同一方向に逆回転し、ねじ棒５０の接地部４０内への螺入量を増大することにより、接地部４０を収容部２０に対して相対的に上動し、接地部４０下面の収容部２０の側壁２１下端から下方への突出量を減少することができる。
【００２４】
実施の形態２
図５は本考案の実施の形態２に係るテーブルの脚高調節装置を示す斜視図である。図６は本考案の実施の形態２に係るテーブルの脚高調節装置を示す断面図であり、蓋体を開放すると共に、接地部を最上位置とした状態を示す。図７は本考案の実施の形態２に係るテーブルの脚高調節装置を示す断面図であり、蓋体を閉じると共に、接地部を最上位置から下方に移動した状態を示す。
【００２５】
実施の形態１に係るテーブルの脚高調節装置では、収容部２０の上壁２２を単なる閉塞面としたが、実施の形態２に係るテーブルの脚高調節装置では、図５〜図７に示すように、収容部１２０の上壁１２２は、操作ディスク３０に対応する部分に、その幅方向一側縁をヒンジ止めする等によって開閉自在に設けた蓋体１２２ａを有している。更に、上壁１２２の蓋体１２２ａは、その上面が隣接するベース部１３のベース体１３ａの上面と面一となるよう形成されている。なお、前記蓋体１２２ａは、ビス１２２ｂ等により、通常は収容部１２０に対して固着し、必要時に、ビス１２２ｂ等を取外して、開放できるようにすることもできる。これにより、上壁１２２は、蓋体１２２ａを有する閉塞面となり、必要に応じて、蓋体１２２ａ部分を開閉して、収容部１２０の内部空間にアクセス自在となる。即ち、蓋体１２２ａを閉じることにより収容部１２０の内部空間の上側を閉塞して前記上壁１２０側の閉塞面を形成すると共に、蓋体１２２ａを開くことにより収容部１２０の内部空間にアクセス自在となる。これにより、通常は蓋体１２２ａを閉じ、収容部１２０の内部空間へのごみ等の堆積を防止し、必要に応じて蓋体１２２ａを開いて、収容部１２０の内部空間の操作ディスク３０上等に堆積したごみ等を簡単に掃除することができる。なお、実施の形態２に係るテーブルの脚高調節装置のそれ以外の構成は、実施の形態１に係るテーブルの脚高調節装置と同様である。
【００２６】
ここで、接地部４０は、例えば、接地部４０自体の高さ寸法と、収容部１２０に対する接地部４０の収容高さ位置とを適宜設定することにより、操作ディスク３０に再接近するその最上位置で、その下面が前記収容部の側壁の下端から約５ｍｍ突出するよう構成することが好ましい。図７は、かかる接地部４０の突出量が最小の場合、即ち、接地部４０が収容部１２０の側壁２１の下端から最少量突出した状態を示す。こうすれば、接地部４０を常に床面等の接地面に接触させ、接地部４０を介して、テーブル脚１２，１３によりテーブル１０を最適な支持状態で支持することができる。また、接地部４０は、例えば、それ自体の高さ寸法、収容部１２０に対する接地部４０の収容高さ位置及びねじ棒５０に対する螺合位置を適宜設定することにより、操作ディスク３０に再接近するその最上位置で、その下面が収容部１２０の側壁２１の下端から約５ｍｍ突出し、操作ディスク３０から最も離間するその最下位置で、その下面が収容部１２０の側壁２１の下端から約１０ｍｍ突出するよう構成することが更に好ましい。こうすれば、接地部４０を常に床面等の接地面に接触させ、接地部４０を介して、テーブル脚１２，１３によりテーブル１０を最適な支持状態で支持することができると共に、床面の凹凸等によるテーブルの支持状態の調節を常に最適な状態で行うことができる。
【００２７】
実施の形態３
図８は本考案の実施の形態３に係るテーブルの脚高調節装置を示す断面図であり、蓋体を開放すると共に、接地部を最上位置とした状態を示す。図９は本考案の実施の形態３に係るテーブルの脚高調節装置を示す断面図であり、蓋体を閉じると共に、接地部を最上位置から下方に移動した状態を示す。
【００２８】
実施の形態３に係るテーブルの脚高調節装置では、まず、操作ディスク２３０を上下方向の低位置に保持する保持手段の構成において、実施の形態２に係るテーブルの脚高調節装置と異なる。即ち、操作ディスク２３０は、収容部１２０の内部空間に略水平状態で収容配置される円板状をなし、その外周部の両側部分を収容部１２０の両側壁２１の両側部開口２３からそれぞれ外部に所定量突出させている。なお、操作ディスク２３０は、実施の形態１及び実施の形態２と同様、収容部１２０の側壁２１間の寸法より大きい直径の円板状をなし、収容部１２０の両側壁２１の両側部開口２３からその外周部の両側部分がそれぞれ外部に所定量、対をなすように突出した状態で収容部１２０に収容配置されている。また、操作ディスク２３０は、収容部１２０の両側壁２１の両側部開口２３に外周部の両側部の上下両面が当接することにより、略垂直方向（上方または下方）への移動が規制されるようになっている。即ち、実施の形態３では、収容部１２０の両側壁２１の側部開口２３の上下両端縁により、操作ディスク２３０を上下方向の低位置に保持する保持手段が構成されている。
【００２９】
更に、実施の形態３では、実施の形態１と同様のブロック状の接地部２４０が、収容部１２０の内部空間の操作ディスク２３０より下側に、略垂直方向への移動自在となるよう、かつ、略水平方向への回転不能となるよう収容配置されている。更にまた、実施の形態３のねじ棒２５０は、収容部１２０の内部空間内に略垂直方向に延びるよう配置され、そのねじ部を調節ディスク２３０の中心に螺入すると共に、下端を接地部２４０の上端略中央に固着している。そして、収容部１２０の側方から側部開口２３部分の操作ディスク２３０の外周部露出部分を介して操作ディスク２３０を正逆回転し、ねじ棒２５０の操作ディスク２３０に対する螺入量を増減することにより、接地部２４０を操作ディスク２３０に対して相対的に上下動して収容部１２０に対して相対的に上下動し、接地部２４０下面の収容部１２０の側壁２１下端から下方への突出量を調節するようにしている。
【００３０】
ところで、本考案は、テーブルのテーブル脚の接地点部分に配設され、操作ディスク等の操作部を正逆回転することにより接地部を前記接地点部分で昇降して、前記テーブルの脚高を調節するテーブルの脚高調節装置であって、前記操作部の外周部の一部を前記接地点部分の側方へと露出して回転操作自在とすると共に、前記接地点部分において前記操作部のそれ以外の部分を遮蔽するようにしたものであれば、任意の構成とすることができる。また、例えば、収容部は、テーブル脚の接地点部分に設けられ、その側部に側方に開口する側部開口を形成すると共に、それ以外の側部及び上部を遮蔽して内部空間を形成するものであれば、任意の構成とすることができる。更に、操作ディスクは、収容部の内部空間に収容されると共に、その外周部の一部を前記収容部の側部開口から外部に露出させ、かつ、それ以外の部分を前記収容部の内部空間内に遮蔽状態で収容するものであれば、任意の構成とすることができる。更にまた、接地部は、収容部に収容されて、その下端が前記収容部の下端から下方へ突出自在とされると共に、前記操作ディスクに作用的に連結され、前記操作ディスクの操作により前記収容部の下端から下方への突出量を調節自在となる限りにおいて、任意の構成とすることができる。
【００３１】
また、本考案において、天板、テーブル脚及びベース部の構成は、テーブルの脚高調節装置を適用できる限りにおいて、上記以外の任意の構成とすることができる。また、テーブル脚は、上記のように、脚部１２及びベース部１３から構成する以外に、連続する一体構成のものとすることもできる。いずれの場合も、本考案に係るテーブルの脚高調節装置は、テーブル脚の下端または略水平方向に延びる部分（ベース部等）の先端にある接地点に配設される。
【００３２】
更に、本考案に係るテーブルの脚高調節装置の収容部は、両側壁の少なくとも一方に、その側壁を貫通する側部開口を形成し、操作ディスクの外周部の両側ではなく一側のみを露出するようにしてもよい。この場合も、操作ディスクの露出する一側の外周部を手指等により操作して操作ディスクを回転し、ねじ棒５０等の連結体を介して接地部を昇降動作することができる。しかし、通常は、収容部の両側に側部開口を形成することが好ましい。また、操作部としての操作ディスクと接地部とを作用的に連結する連結体として、上記のようにねじ棒５０を利用する以外にも、操作ディスクの正逆回転により接地部を昇降できる限りにおいて、例えば、かさ歯車機構、ラックアンドピニオン機構、ウォームギア機構等、任意の構成を採用することができる。また、収容部の断面も、上記のように一対の側壁及び上壁からなる断面とする以外に、逆Ｕ字状等の湾曲状断面としたり、それ以外の断面としたりすることもできる。
【００３３】
また、本考案において、「略垂直方向」とは、正確な垂直方向と若干傾斜した方向も含み、「略水平方向」とは、正確な水平方向と若干傾斜した方向も含む。
【図面の簡単な説明】
【００３４】
【図１】図１は本考案の実施の形態１に係る脚高調節機能付きテーブルの全体を示す一部破断側面図である。
【図２】図２は本考案の実施の形態１に係るテーブルの脚高調節装置を示す側面図である。
【図３】図３は本考案の実施の形態１に係る脚高調節機能付きテーブル脚のベース部を示す平面図である。
【図４】図４は本考案の実施の形態１に係るテーブルの脚高調節装置を示す平面図である。
【図５】図５は本考案の実施の形態２に係るテーブルの脚高調節装置を示す斜視図である。
【図６】図６は本考案の実施の形態２に係るテーブルの脚高調節装置を示す断面図であり、蓋体を開放すると共に、接地部を最上位置とした状態を示す。
【図７】図７は本考案の実施の形態２に係るテーブルの脚高調節装置を示す断面図であり、蓋体を閉じると共に、接地部を最上位置から下方に移動した状態を示す。
【図８】図８は本考案の実施の形態３に係るテーブルの脚高調節装置を示す断面図であり、蓋体を開放すると共に、接地部を最上位置とした状態を示す。
【図９】図９は本考案の実施の形態３に係るテーブルの脚高調節装置を示す断面図であり、蓋体を閉じると共に、接地部を最上位置から下方に移動した状態を示す。
【符号の説明】
【００３５】
１０  テーブル、１１：脚部（テーブル脚）、１２：ベース部（テーブル脚）
２０：収容部、２１：側壁、２２：上壁、２３：側部開口
３０：操作ディスク（操作部）、４０：接地部
５０：ねじ棒、６０：保持手段、６１：隔壁、６２：支持板
１２０：収容部、１２２：上壁、１２２ａ：蓋体
２３０：操作ディスク（操作部）、２４０：接地部、２５０：ねじ棒
【図１】
0003109117.tif 000003
【図２】
0003109117.tif 000004
【図３】
0003109117.tif 000005
【図４】
0003109117.tif 000006
【図５】
0003109117.tif 000007
【図６】
0003109117.tif 000008
【図７】
0003109117.tif 000009
【図８】
0003109117.tif 000010
【図９】
0003109117.tif 000011